(57)【要約】【課題】裁断や縫製を行ってもほつれが生じない畳表を用いた化粧材を得られるようにする。【解決手段】和紙が紙撚状に撚られた抄繊糸１２ａを織ってなる畳表１２と、畳表１２の片面に貼り付けられた裏打ち材１４とを備えている。裏打ち材１４は、全面に亘って畳表１２の被貼付け面に接着剤１６で接着されている。接着剤１６は、畳表１２の被貼付け面から内部にまで染み込み、隣り合う抄繊糸１２ａ同士を接着している。【選択図】図１
2016061096.tif 000002
【特許請求の範囲】
【請求項１】
和紙が紙撚状に撚られた抄繊糸を織ってなる畳表と、
前記畳表の片面に貼り付けられた裏打ち材と、を備え、
前記裏打ち材は、全面に亘って前記畳表の被貼付け面に接着剤で接着されており、
前記接着剤は、前記畳表の被貼付け面から内部にまで染み込み、隣り合う前記抄繊糸同士を接着している
ことを特徴とする化粧材。
【請求項２】
和紙が紙撚状に撚られた小繊糸を織ってなる畳表と、
前記畳表の片面に貼り付けられた裏打ち材と、を備え、
前記裏打ち材は、全面に亘って前記畳表の被貼付け面に熱溶着されており、
前記裏打ち材のうち熱溶着された部分は、前記畳表の被貼付け面から内部にまで染み込み、隣り合う前記抄繊糸同士を接着している
ことを特徴とする化粧材。
【請求項３】
請求項１又は２に記載された化粧材において、
前記畳表は、撥水加工した抄繊糸を平織又は綾織に製織された畳表である
ことを特徴とする化粧材。
【発明の詳細な説明】
【技術分野】
【０００１】
本開示は、畳表を用いた化粧材に関する。
【背景技術】
【０００２】
従来、畳表には天然のいぐさ（藺草）が用いられているが、近年では畳表の材料として合成繊維、合成樹脂又は抄繊糸等の人工原糸も用いられている。例えば、特許文献１には、紡績糸やフィラメント糸を内部芯材層として、その内部芯材層に熱可塑性樹脂からなる塗膜樹脂層を被覆した線状体を畳織機で織り上げてなる畳表が開示されている。
【先行技術文献】
【特許文献】
【０００３】
【特許文献１】特開２００５−２３６９０号公報
【発明の概要】
【発明が解決しようとする課題】
【０００４】
上記のような人工原糸を用いた畳表のうち、特に和紙を紙撚り（こより）状に撚った撚糸を用いた畳表は、肌触りや質感が良いことから、床材や敷物としての用途以外にも化粧材として広く使用することが可能である。しかし、このような畳表を化粧材として使用する場合には、適用物品に合わせて裁断や縫製を行う必要があるが、そのような加工は畳表を構成する撚糸のほつれを伴う。このため、畳表を用いた化粧材は、加工性が低く、取り扱いの自由度が制限されてしまう。
【０００５】
本開示は、斯かる点に鑑みてなされたものであり、その目的とするところは、裁断や縫製を行ってもほつれが生じない畳表を用いた化粧材を提供することにある。
【課題を解決するための手段】
【０００６】
上記の目的を達成するために、本開示では、畳表の片面に貼り付ける裏打ち材自体又は該裏打ち材を接着する接着剤を畳表の内部に染み込ませる構成とする。
【０００７】
具体的には、本発明は、畳表を用いた化粧材を対象とし、以下の解決手段を講じたものである。
【０００８】
すなわち、本発明に係る化粧材の第１の態様は、和紙が紙撚状に撚られた抄繊糸を織ってなる畳表と、この畳表の片面に貼り付けられた裏打ち材とを備える。裏打ち材は、全面に亘って畳表の貼付け面に接着剤で接着されている。そして、この第１の態様は、接着剤が、畳表の貼付け面から内部にまで染み込み、隣り合う抄繊糸同士を接着していることを特徴とする。
【０００９】
このような構成によると、畳表を織り成す抄繊糸は裏打ち材を貼り付けるための接着剤で一体に接着されているので、化粧材に裁断や縫製を施してもほつれることがない。これにより、化粧材を自由に裁断及び縫製できる等の加工性を改善でき、取り扱いの自由度を向上することができる。さらに、畳表の片面に貼り付けられた裏打ち材を備えるため、接着剤が畳表の他の面に滲み出ることを防止できる。
【００１０】
また、本発明に係る化粧材の第２の態様は、和紙が紙撚状に撚られた小繊糸を織ってなる畳表と、畳表の片面に貼り付けられた裏打ち材とを備える。裏打ち材は、全面に亘って前記畳表の貼付け面に熱溶着されている。そして、この第２の態様は、裏打ち材のうち熱溶着された部分が、畳表の貼付け面から内部にまで染み込み、隣り合う抄繊糸同士を接着していることを特徴とする。
【００１１】
このような構成によると、畳表を織り成す抄繊糸は裏打ち材の溶着部分で一体に接着されているので、化粧材に裁断や縫製を施してもほつれることがない。これにより、化粧材を自由に裁断及び縫製できる等の加工性を改善でき、取り扱いの自由度を向上することができる。
【００１２】
これら第１又は第２の態様の化粧材において、畳表は、撥水加工した平織又は綾織に製織された畳表であることが好ましい。
【００１３】
このような構成によると、畳表が少なくとも一方向において折り曲げ易くなるので、適用物品を巻き込むなどの加工性がより良くなる。特に、平織に製織された畳表は、織りの密度が低く柔らかいため、四周巻き込み等の加工性が向上する。また、綾織に製織された畳表は、多方向に折り曲げ易くなるため、化粧材の加工性がより一層向上する。その上、抄繊糸が撥水加工されているため、接着剤等が抄繊糸の内部に染み込まないので、そのクッション性及び断熱性等が損なわれることがない。
【発明の効果】
【００１４】
本開示によれば、裁断や縫製を行ってもほつれが生じない畳表を用いた化粧材を実現することができる。
【図面の簡単な説明】
【００１５】
【図１】図１は実施形態１に係る化粧材を示す部分断面図である。
【図２】図２は実施形態２に係る化粧材を示す部分断面図である。
【図３】図３は実施形態２に係る化粧材の製造方法を示す模式図である。
【発明を実施するための形態】
【００１６】
本開示に係る実施形態を図面に基づいて詳細に説明する。なお、以下の実施形態は、本質的に好ましい例示であって、本開示、その適用物又はその用途の範囲を制限することを意図するものではない。
【００１７】
《実施形態１》
本実施形態１では、畳表の裏面に裏打ち材を設ける構成を説明する。
【００１８】
−物の構成−
図１は実施形態１に係る化粧材の断面構成を示している。
【００１９】
図１に示すように、本実施形態に係る化粧材１０は、畳表１２と、該畳表１２の一方の面（裏面）に貼り付けられた裏打ち材１４とを有している。裏打ち材１４は、その全面に亘って畳表１２の被貼付け面である裏面に接着剤１６で接着されている。接着剤１６は、畳表１２の裏面から畳表１２の内部にまで染み込んでいる。
【００２０】
畳表１２は、例えば、針葉樹の木質繊維を主体とし、坪量１５ｇ／ｍ２〜２０ｇ／ｍ２で抄造した紙（機械抄き和紙）を２０ｍｍ〜４０ｍｍ幅に裁断し、中心部を空洞にして５巻〜１５巻程度で筒状に撚りをかけた径が０．７ｍｍ〜１．５ｍｍの筒状抄繊糸１２ａを、０．８ｋｇ／ｍ２〜１．２ｋｇ／ｍ２で編織して得られる。抄繊糸１２ａの織り方は、特に限定されないが、平織でもよく、また、綾織でもよい。
【００２１】
裏打ち材１４には、例えば、不織布、織布、塩化ビニルシート、ゴムシート、ウレタン材、又は合成樹脂材を用いることができる。裏打ち材１４の厚さは、特に限定されないが、畳表１２の厚さと同程度に設定することができる。
【００２２】
接着剤１６には、例えば、酢酸ビニルエマルジョン系接着剤を用いることができ、これにより、隣り合う抄繊糸１２ａ同士が接着される。
【００２３】
畳表１２と裏打ち材１４との接着は、畳表１２の被貼付け面又は裏打ち材１４の被貼付け面である畳表１２側の面に接着剤１６を塗布した後、畳表１２と裏打ち材１４とを互いに粘着することにより可能となる。
【００２４】
ここで、畳表１２を構成する各筒状抄繊糸１２ａの表面には、撥水性を持たせてもよい。撥水機能を有する撥水剤として、例えば、疎水基（疎水性の置換基）と架橋性の官能基とを有する架橋性高分子を用いることができ、さらに、撥水剤に、該撥水剤に含まれる高分子同士を結合する樹脂剤を添加してもよい。なお、撥水剤を構成する疎水基には、例えば、パーフルオロアルキル基又はパーフルオロアルキレン基を用いることができ、架橋性の官能基には、例えば、水酸基又はカルボニル基を用いることができる。
【００２５】
また、撥水剤に添加する樹脂剤は、主鎖に架橋性を有する架橋性高分子からなり、例えば、アクリル樹脂、ＥＶＡ、酢酸ビニル樹脂又はウレタン樹脂を用いることができる。
【００２６】
−実施形態１の効果−  
実施形態１によると、化粧材１０を構成する畳表１２を織り成す抄繊糸１２ａは裏打ち材１４を貼り付けるための接着剤１６で一体に接着されている。これにより、化粧材１０に裁断又は縫製を施してもほつれるおそれがない。これにより、化粧材を自由に裁断及び縫製できる等の加工性を改善でき、取り扱いの自由度が向上する。また、畳表１２の裏面に貼り付けられた裏打ち材１４により、接着剤１６が畳表１２の表面にまで滲み出ることを防止することができる。
【００２７】
また、抄繊糸１２ａに、紙撚り状にした機械抄き和紙を用いているため、いぐさに近い中空構造となり、手触り及び質感が本物の畳との遜色がない。
【００２８】
また、畳表１２は、その少なくとも一方向において折り曲げ易くなるため、適用物品を巻き込む等の加工性がより良くなる。特に、平織に製織された畳表１２は、織りの密度が低く柔らかいため、四周巻き込み等の加工性が向上する。これに対し、綾織に製織された畳表１２は、多方向に折り曲げ易くなるため、化粧材１０の加工性がより一層向上する。
【００２９】
さらに、抄繊糸１２ａが撥水加工されている場合には、接着剤１６等が筒状の抄繊糸１２ａの内部にまで染み込まないため、畳表１２のクッション性及び断熱性等が損なわれることがない。
【００３０】
また、裏打ち材１４に防水性を有する材料を用いる場合には、化粧材１０の用途が広がる。
【００３１】
《実施形態２》
図２は実施形態２に係る化粧材の断面構成を示している。実施形態２に係る化粧材１０は、裏打ち材１４Ａが実施形態１の裏打ち材１４と異なる。
【００３２】
−物の構成−
図２に示すように、本実施形態に係る化粧材１０は、畳表１２と、該畳表の一方の面（裏面）に貼り付けられた裏打ち材１４Ａとを有している。裏打ち材１４Ａは、その全面に亘って畳表１２の被貼付け面である裏面に圧着されている。該裏打ち材１４Ａは、畳表１２の裏面から畳表１２の内部にまで染み込んでおり、隣り合う抄繊糸１２ａ同士を接着している。
【００３３】
畳表１２には、実施形態１で説明した畳表１２を用いることができる。抄繊糸１２ａの織り方は、特に限定されないが、平織でもよく、また、綾織でもよい。
【００３４】
裏打ち材１４Ａには、例えば、軟質性樹脂シート又は軟質性発泡樹脂シートを用いることができる。
【００３５】
また、実施形態２に係る畳表１２を構成する各筒状抄繊糸１２ａの表面には、実施形態に係る１と同様に撥水性を持たせてもよい。撥水剤には、実施形態１で説明した材料を用いることができる。
【００３６】
−製造方法−
畳表１２と裏打ち材１４Ａとの接着は、畳表１２の被貼付け面に裏打ち材１４Ａを貼り付けた後、該裏打ち材１４Ａが溶融する程度に加熱して、互いに圧着することにより可能となる。
【００３７】
図３に実施形態２に係る化粧材の具体的な製造方法の一例を示す。
【００３８】
図３に示すように、裏打ち材１４Ａとして、例えば、１０倍発泡のポリエチレン樹脂シート２０を用い、該樹脂シート２０をロール状に巻き回した状態から繰り出して冷却ロール２１に掛け渡し、該冷却ロール２１の回転と共に送り出す。
【００３９】
この送り出しの途中において、冷却ロール２１に向かって開口したバーナ２３等により、樹脂シート２０の表面（被貼付け面）を加熱して、該樹脂シート２０の表層部を溶融する。一方、巻き回した畳表１２を繰り出して、その裏面（被貼付け面）に溶融した樹脂シート２０を当接し、押圧ロール２２により押接すると、溶融した樹脂シート２０は畳表１２に溶着する。これと同時に、溶融した樹脂シート２０の一部が畳表１２の織り目に浸入して、該織り目を充填する。その後、冷却及び固化して、畳表１２に樹脂シート２０が裏打ちされた化粧材を得る。
【００４０】
−実施形態２の効果−
実施形態２によると、畳表１２を織り成す抄繊糸１２ａは裏打ち材１４Ａの溶着部分で一体に接着されているので、化粧材１０に裁断又は縫製を施してもほつれることがない。これにより、化粧材１０を自由に裁断及び縫製できる等の加工性を改善でき、取り扱いの自由度を向上することができる。
【００４１】
また、実施形態２においても、平織に製織された畳表１２は、四周巻き込み等の加工性が向上し、綾織に製織された畳表１２は、化粧材１０の加工性がより一層向上する。
【００４２】
さらに、抄繊糸１２ａが撥水加工されている場合には、溶融した裏打ち材１４Ａ等が筒状の抄繊糸１２ａの内部にまで染み込まないため、畳表１２のクッション性及び断熱性等を損なうことがない。
【００４３】
また、裏打ち材１４Ａが防水性又は気密性等を有する場合には、化粧材１０の用途を広げることができる。
【００４４】
以上、本開示の好ましい実施形態について説明したが、本開示の技術的範囲は上記の各実施形態に記載の範囲に限定されない。上記の各実施形態は例示であり、それらの各構成要素及び各処理プロセスの組み合わせには、さらに種々の変形例が可能なこと、また、そうした変形例も本開示の範囲に属することは当業者に理解されるところである。
【産業上の利用可能性】
【００４５】
本開示は、化粧材について有用であり、特に、加工性が要望される畳表を用いた化粧材に適している。
【符号の説明】
【００４６】
１０    化粧材
１２    畳表
１２ａ  抄繊糸
１４    裏打ち材
１４Ａ  裏打ち材
１６    接着剤
２０    樹脂シート（裏打ち材）
２１    冷却ロール
２２    押圧ロール
２３    バーナ
【図１】
2016061096.tif 000003
【図２】
2016061096.tif 000004
【図３】
2016061096.tif 000005